(57)【要約】【課題】コンデンサ素子を構成する金属化フィルムにヒューズ機能が設けられたフィルムコンデンサにおいて、安全性を損なうことなく、ヒューズ機能の作動による容量減少を最小限に抑えることを目的とする。【解決手段】誘電体フィルムの長さ方向に並ぶように分割された複数の分割電極と、この分割電極と外部電極につながる第一の電極との間にヒューズ機能を持つ接続部を備え、この接続部は分割電極に少なくとも一つ以上設けられ、一つの分割電極に接続された接続部の誘電体フィルムにおける長さ方向の合計の寸法が、少なくとも二つ以上の異なる寸法となるように個々の分割電極に接続した構成とした。【選択図】図１
2013115230.tif 000002
【特許請求の範囲】
【請求項１】
誘電体フィルムの片面または誘電体フィルムの一方の面と他方の面との両面に、前記誘電体フィルムの幅方向の一方の端部に前記誘電体フィルムの長さ方向に連続して設けられた第一のマージン部を除いて金属薄膜からなる電極を備えた金属化フィルムを、前記電極が前記誘電体フィルムを挟んで対向し、前記誘電体フィルムのそれぞれの面の第一のマージン部が反対側に位置するように巻回または積層し、両端に外部電極を形成した金属化フィルムコンデンサであって、
前記電極は、前記誘電体フィルムの幅方向の他方側の前記誘電体フィルムの長さ方向に連続して設けられた第一の電極と、前記第一のマージンから前記誘電体フィルムの幅方向の他方の端部に向かって設けられた複数の第二のマージンによって、フィルムの長さ方向に並ぶように分割された複数の分割電極と、この分割電極と前記第一の電極とを電気的に接続する接続部とを備え、前記接続部は前記分割電極に少なくとも一つ以上設けられ、一つの前記分割電極に接続された前記接続部の前記誘電体フィルムの長さ方向の合計の寸法が、少なくとも二つ以上の異なる寸法となるように個々の前記分割電極に接続されていることを特徴とする金属化フィルムコンデンサ。
【請求項２】
誘電体フィルムの一方の面と他方の面との両面に、前記誘電体フィルムの幅方向の一方の端部に前記誘電体フィルムの長さ方向に連続して設けられた第一のマージン部を除いて金属薄膜からなる電極を備えた金属化フィルムを、前記電極が前記誘電体フィルムを挟んで対向し、前記誘電体フィルムのそれぞれの面の第一のマージン部が反対側に位置するように巻回または積層し、両端に外部電極を形成した金属化フィルムコンデンサであって、
前記電極は、前記誘電体フィルムの幅方向の他方側の前記誘電体フィルムの長さ方向に連続して設けられた第一の電極と、前記第一のマージンから前記誘電体フィルムの幅方向の他方の端部に向かって設けられた複数の第二のマージンによって、フィルムの長さ方向に並ぶように分割された複数の分割電極と、この分割電極と前記第一の電極とを電気的に接続する接続部とを備え、前記接続部は前記分割電極に少なくとも一つ以上設けられ、前記一方の面に設けられた分割電極と他方の面に設けられた分割電極とが前記誘電体フィルムを挟んで同じ位置で対向し、一つの前記分割電極に接続された前記接続部の前記誘電体フィルムの長さ方向の合計の寸法が、前記誘電体フィルムを挟んで同じ位置で対向する一方の面に設けられた分割電極に接続される前記接続部と、他方の面に設けられた前記分割電極に接続される前記接続部とで異なることを特徴とする金属化フィルムコンデンサ。
【請求項３】
一つの前記分割電極に前記誘電体フィルムを挟んで複数の前記分割電極が対向することを特徴とする請求項１に記載の金属化フィルムコンデンサ。
【請求項４】
前記誘電体フィルムの幅方向の略中央部に前記接続部を設けたことを特徴とする請求項１乃至３の何れかに記載の金属化フィルムコンデンサ。
【発明の詳細な説明】
【技術分野】
【０００１】
本発明は、素子内部に保安機構を設けることによって安全性を高めたフィルムコンデンサに関するものである。
【背景技術】
【０００２】
従来より、コンデンサの安全性を高めるため、保安機構を設けた金属化フィルムコンデンサが数多く提案されている。そして特許文献１に記載されたフィルムコンデンサもその一例である。
【０００３】
上記特許文献１に記載されたコンデンサは、パターンマージンによって金属蒸着膜にヒューズ機能をもたせた金属化フィルムを用いたもので、図１５に示すように、金属化フィルム３０３の長さ方向に並ぶ分割電極３０５の夫々に、ヒューズ３０６を設けた構成で、例えば、電源の雑音防止用に使用した場合に、雷サージや、内部からのノイズによるパルス電圧等の異常な高電圧がコンデンサに印加された状態になったり、稼動が長時間に及ぶと、金属蒸着膜に挟まれた誘電体フィルムに絶縁破壊が生じ、この誘電体フィルムの絶縁破壊に伴って流れる大電流によってヒューズ３０６を溶断して電流を遮断し、コンデンサの発火、発煙等を防ぐことを目的としている。
【０００４】
しかし、このようなパターンマージンによって分割電極にヒューズを設けた金属化フィルムを用いたコンデンサは、ヒューズの溶断によってコンデンサの容量を形成する電極が切り離されてしまうため、ヒューズの作動に伴うコンデンサの容量の減少は避けられないものであった。
【０００５】
そして、従来のコンデンサでは、全て同じ感度のヒューズが分割電極毎に設けられているため、ヒューズに流れる電流が一定値を超えると殆どのヒューズが溶断してしまい、その結果コンデンサの容量が大きく減少し、実使用に問題をきたす状態に至ることがあった。
【先行技術文献】
【特許文献】
【０００６】
【特許文献１】特開平７−１７６４４７号公報
【発明の概要】
【発明が解決しようとする課題】
【０００７】
本発明は、コンデンサ素子を構成する金属化フィルムにヒューズ機能が設けられたフィルムコンデンサにおいて、安全性を損なうことなく、ヒューズ機能の作動による容量減少を最小限に抑えることを目的とする。
【課題を解決するための手段】
【０００８】
本発明は、誘電体フィルムの幅方向の一方の端部に前記誘電体フィルムの長さ方向に連続して設けられた第一のマージンを除いて金属薄膜からなる電極を備えた金属化フィルムを、前記電極が前記誘電体フィルムを挟んで対向し、前記誘電体フィルムのそれぞれの面の第一のマージンが反対側に位置するように巻回または積層し、両端に外部電極を形成した金属化フィルムコンデンサであって、前記電極は、前記誘電体フィルムの幅方向の他方側の前記誘電体フィルムの長さ方向に連続して設けられた第一の電極と、前記第一のマージンから前記誘電体フィルムの幅方向の他方の端部に向かって設けられた複数の第二のマージンによって、フィルムの長さ方向に並ぶように分割された複数の分割電極と、この分割電極と前記第一の電極とを電気的に接続するヒューズ機能を持つ接続部とを備え、前記接続部は前記分割電極に少なくとも一つ以上設けられ、一つの前記分割電極に接続された前記接続部の前記誘電体フィルムにおける長さ方向の合計の寸法が、少なくとも二つ以上の異なる寸法となるように個々の前記分割電極に接続された構成としたものである。
【発明の効果】
【０００９】
本発明の金属化フィルムコンデンサは、コンデンサ素子を構成する金属化フィルムの、幅方向の一端の誘電体フィルムの長さ方向に連続して設けられた第一の電極と、長さ方向に並ぶように分割して設けられた複数の分割電極とを電気的に接続する接続部にヒューズ機能を持たせ、一つの分割電極に接続された接続部の誘電体フィルムにおける長さ方向の寸法が、少なくとも二つ以上の異なる寸法となるように個々の分割電極に接続することによって、第一の電極と個々の分割電極との間にそれぞれ感度の異なる、即ち溶断する電流値の異なるヒューズが設けられることになり、その結果誘電体フィルムの破壊時においてヒューズに流れる電流の電流値が、ヒューズが溶断する電流値を超えたヒューズのみが溶断してコンデンサの発火、発煙を未然に回避し、溶断する電流値が高く設定されたヒューズは溶断することがなく、コンデンサの容量低下を抑えることができる。
【図面の簡単な説明】
【００１０】
【図１】本発明の実施の形態１における（ａ）金属化フィルム３の平面図、（ｂ）金属化フィルム２３の平面図、（ｃ）金属化フィルム３と金属化フィルム２３を重ねた状態での図１（ａ）線Ａ−Ａ断面と図１（ｂ）線Ａ２−Ａ２断面の図
【図２】本発明の実施の形態１における金属化フィルム３と金属化フィルム２３を重ね、外部電極を形成した状態での図１（ａ）線Ｂ−Ｂ断面と図１（ｂ）線Ｂ２−Ｂ２断面の図
【図３】本発明の実施の形態２における（ａ）金属化フィルム４３の平面図、（ｂ）金属化フィルム６３の平面図、（ｃ）金属化フィルム４３と金属化フィルム６３を重ねた状態での図３（ａ）線Ａ４−Ａ４断面と図３（ｂ）線Ａ６−Ａ６断面の図
【図４】本発明の実施の形態２における金属化フィルム４３と金属化フィルム６３を重ね、外部電極を形成した状態での図３（ａ）線Ｂ４−Ｂ４断面と図３（ｂ）線Ｂ６−Ｂ６断面の図
【図５】本発明の実施の形態３における（ａ）金属化フィルム８３の平面図、（ｂ）誘電体フィルム９２の平面図、（ｃ）金属化フィルム８３と誘電体フィルム９２を重ねた状態での図５（ａ）線Ａ８−Ａ８断面と図５（ｂ）線Ａ９−Ａ９断面の図
【図６】本発明の実施の形態３における金属化フィルム８３と誘電体フィルム９２を重ね、外部電極を形成した状態での図５（ａ）線Ｂ８−Ｂ８断面と図５（ｂ）線Ｂ９−Ｂ９断面の図
【図７】本発明の実施の形態４における（ａ）金属化フィルム１２３の平面図、（ｂ）誘電体フィルム１３２の平面図、（ｃ）金属化フィルム１２３と誘電体フィルム１３２を重ねた状態での図７（ａ）線Ａ１２−Ａ１２断面と図７（ｂ）線Ａ１３−Ａ１３断面の図
【図８】本発明の実施の形態４における金属化フィルム１２３と誘電体フィルム１３２を重ね、外部電極を形成した状態での図７（ａ）線Ｂ１２−Ｂ１２断面と図７（ｂ）線Ｂ１３−Ｂ１３断面の図
【図９】本発明の実施の形態５における（ａ）金属化フィルム１６３の平面図、（ｂ）誘電体フィルム１７２の平面図、（ｃ）金属化フィルム１６３と誘電体フィルム１７２を重ねた状態での図９（ａ）線Ａ１６−Ａ１６断面と図９（ｂ）線Ａ１７−Ａ１７断面の図
【図１０】本発明の実施の形態５における金属化フィルム１６３と誘電体フィルム１７２を重ね、外部電極を形成した状態での図９（ａ）線Ｂ１６−Ｂ１６断面と図９（ｂ）線Ｂ１７−Ｂ１７断面の図
【図１１】本発明の実施の形態６における（ａ）金属化フィルム２０３の平面図、（ｂ）誘電体フィルム２１２の平面図、（ｃ）金属化フィルム２０３と誘電体フィルム２１２を重ねた状態での図１１（ａ）線Ａ２０−Ａ２０断面と図１１（ｂ）線Ａ２１−Ａ２１断面の図
【図１２】本発明の実施の形態６における金属化フィルム２０３と誘電体フィルム２１２を重ね、外部電極を形成した状態での図１１（ａ）線Ｂ２０−Ｂ２０断面と図１１（ｂ）線Ｂ２１−Ｂ２１断面の図
【図１３】本発明の実施の形態７における（ａ）金属化フィルム２４３の平面図、（ｂ）金属化フィルム２６３の平面図、（ｃ）金属化フィルム２４３と金属化フィルム２６３を重ねた状態での図１３（ａ）線Ａ２４−Ａ２４断面と図１３（ｂ）線Ａ２６−Ａ２６断面の図
【図１４】本発明の実施の形態７における金属化フィルム２４３と金属化フィルム２６３を重ね、外部電極を形成した状態での図１３（ａ）線Ｂ２４−Ｂ２４断面と図１３（ｂ）線Ｂ２６−Ｂ２６断面の図
【図１５】従来のフィルムコンデンサに用いられる金属化フィルムの平面図
【発明を実施するための形態】
【００１１】
以下本発明の実施の形態について図面を用いて説明する。
【００１２】
（実施の形態１）
図１（ａ）、（ｂ）は本発明の実施の形態１におけるフィルムコンデンサを構成する二つの金属化フィルム３、２３の平面図で、図１（ｃ）は金属化フィルム３と金属化フィルム２３とを重ねてコンデンサを構成したものを、金属化フィルム３、２３の長さ方向に切断した断面図である。
【００１３】
図２はコンデンサを構成した金属化フィルム３、２３の幅方向の両端部に外部電極１５を設けたものを、金属化フィルム３、２３の幅方向に切断した断面図である。
【００１４】
金属化フィルム３は、誘電体フィルム２の一方の面の、第一のマージン７、第二のマージン８、第三のマージン９となる部分を除いて、アルミニウム等の金属薄膜が形成されており、この金属薄膜は第一の電極４と、分割電極５ａ、５ｂと、接続部６ａ、６ｂを構成している。
【００１５】
第一のマージン７は、誘電体フィルム２の幅方向の一方の端部に、誘電体フィルム２の長さ方向に連続して設けられ、第一の電極４は誘電体フィルム２の他方の端部に、誘電体フィルム２の長さ方向に連続して設けられている。
【００１６】
分割電極５ａと分割電極５ｂとは、第一のマージン７から誘電体フィルム２の他方の端部に向かって設けられた複数の第二のマージン８によって分割された金属薄膜が、誘電体フィルム２の長さ方向に交互に並ぶように設けられている。
【００１７】
接続部６ａ、６ｂは、第一の電極４と分割電極５ａ、５ｂとの間に、第一の電極４と分割電極５ａ、５ｂとを接続するように設けられ、これによって接続部６ａ、６ｂはヒューズとして機能することになる。
【００１８】
接続部６ａと接続部６ｂとの誘電体フィルム２における長さ方向の寸法は異なり、接続部６ａの寸法６ａｗは、第二のマージン８の第一の電極４側の端部から誘電体フィルム２の長さ方向に向かって延設された第三のマージン９の延設端と、この延設端に隣接し対向する第二のマージン８との間の寸法となり、接続部６ｂの寸法６ｂｗは分割電極５ｂの誘電体フィルム２における長さ方向の寸法と同じ寸法となり、本実施の形態では接続部６ａの寸法６ａｗよりも接続部６ｂの寸法６ｂｗの方が長くなっている。
【００１９】
また、接続部６ａ、６ｂの誘電体フィルム２における幅方向の寸法ｖは第三のマージン９の誘電体フィルム２における幅方向の寸法と同じ寸法となっている。
【００２０】
そして、接続部６ａが接続された分割電極５ａと、接続部６ｂが接続された分割電極５ｂとは、誘電体フィルム２の長さ方向に交互に並ぶようになり、このような構成とすることで、溶断する電流値の異なるヒューズが、誘電体フィルム２の長さ方向に並ぶ分割電極５ａ、５ｂに交互に接続されることになる。
【００２１】
図１（ｂ）に示す金属化フィルム２３も図中の符号は異なるが、金属化フィルム３と同じ構成で、金属化フィルム３と金属化フィルム２３とを、図２に示すように金属化フィルム３の第一のマージン７と、金属化フィルム２３の第一のマージン２７とが反対側に位置するように重ねて巻回、或いは交互に積層したものに外部電極１５を設けてフィルムコンデンサとしている。
【００２２】
（実施例１）
次に上記実施の形態１における具体的な実施例１について説明する。
【００２３】
誘電体フィルム２、２２には厚さが６μｍのポリプロピレンフィルムを用い、その一方の表面に、オイルマージン法により、第一のマージン７、２７、第二のマージン８、２８、第三のマージン９、２９を形成するとともに、第一の電極４、２４、分割電極５ａ、５ｂ、２５ａ、２５ｂ、接続部６ａ、６ｂ、２６ａ、２６ｂとなるアルミニウムの金属薄膜を、表面抵抗が３〜４．５Ω／□となるように真空蒸着により形成して金属化フィルム３、２３とした。
【００２４】
このときの誘電体フィルム２、２２の幅は２７ｍｍ、第一のマージン７、２７の幅は２．７ｍｍ、第二のマージン８、２８の幅は０．４ｍｍ、第三のマージン９、２９の幅（誘電体フィルム２、２２における幅方向の寸法）は１．０ｍｍ、第一の電極４、２４の幅は１．３ｍｍ、分割電極５ａ、２５ａの幅（誘電体フィルム２、２２における長さ方向の寸法）は４．８ｍｍ、分割電極５ｂ、２５ｂの幅（誘電体フィルム２、２２における長さ方向の寸法）は７．５ｍｍ、接続部６ａ、２６ａは誘電体フィルム２、２２における長さ方向の寸法６ａｗ、２６ａｗが０．８ｍｍで誘電体フィルム２、２２における幅方向の寸法ｖ、２０ｖが１．０ｍｍ、接続部６ｂ、２６ｂは誘電体フィルム２、２２の長さ方向における寸法６ｂｗ、２６ｂｗが７．５ｍｍで誘電体フィルム２、２２における幅方向の寸法ｖ、２０ｖが１．０ｍｍとなっている。
【００２５】
上記のような金属化フィルム３と２３とを、金属化フィルム３の第一のマージン７と、金属化フィルム２３の第一のマージン２７が反対側に位置するように重ねて巻回し、巻回体の一対の両端面に外部電極１５を形成して容量が２．２μＦのフィルムコンデンサとした。
【００２６】
（実施例２）
実施例２として、実施例１の接続部６ａ、２６ａの誘電体フィルム２、２２における長さ方向の寸法６ａｗ、２６ａｗを０．５ｍｍとした以外は実施例１と同じ構成とした。
【００２７】
（実施例３）
実施例３として、実施例１の接続部６ａ、２６ａの誘電体フィルム２、２２における長さ方向の寸法６ａｗ、２６ａｗを１．５ｍｍとした以外は実施例１と同じ構成とした。
【００２８】
（実施例４）
実施例４として、実施例１の接続部６ａ、２６ａの誘電体フィルム２、２２における長さ方向の寸法６ａｗ、２６ａｗを３．０ｍｍとした以外は実施例１と同じ構成とした。
【００２９】
（実施例５）
実施例５として、実施例１の接続部６ｂ、２６ｂの誘電体フィルム２、２２における長さ方向の寸法６ｂｗ、２６ｂｗを４．８ｍｍとした以外は実施例１と同じ構成とした。
【００３０】
（実施例６）
実施例６として、実施例１の接続部６ｂ、２６ｂの誘電体フィルム２、２２における長さ方向の寸法６ｂｗ、２６ｂｗを１０．５ｍｍとした以外は実施例１と同じ構成とした。
【００３１】
（比較例１）
比較例１として、実施例１の接続部６ｂ、２６ｂの誘電体フィルム２、２２における長さ方向の寸法６ｂｗ、２６ｂｗを接続部６ａ、２６ａと同じ、０．８ｍｍとした以外は実施例１と同じ構成とした。
【００３２】
（比較例２）
比較例２として、実施例１の接続部６ａ、２６ａの誘電体フィルム２、２２における長さ方向の寸法６ａｗ、２６ａｗを接続部６ｂ、２６ｂと同じ、７．５ｍｍとした以外は実施例１と同じ構成とした。
【００３３】
実施例１〜６及び比較例１、２で作製したコンデンサを、試験法ＪＩＳＣ５１０１−１４  ４．１４  耐久性試験にてコンデンサの長時間連続使用に対する耐久性を評価した。その結果を（表１）に示す。
【００３４】
（表１）に示すように、本発明における実施例１〜６のコンデンサでは耐久試験後のコンデンサの容量変化は、−４〜−１０％となり、また試験中のコンデンサの発火、発煙もなかった。
【００３５】
一方、比較例１では発火、発煙はないもののコンデンサの容量変化が−３０％と、大きく減少し、比較例２では、試験中のコンデンサから発煙を起こし、コンデンサの容量を測定できない状態になった。
【００３６】
以上のことから、本発明によるコンデンサは、長時間の連続使用に対して容量低下が抑制され、発火、発煙もなくコンデンサの機能を長時間維持することができる。
【００３７】
これは、第一の電極と分割電極との間に、分割電極毎に感度の異なるヒューズ機能を有する接続部を設けることによって、接続部に流れる電流値に応じて段階的にヒューズ機能が作動することと、先に、溶断電流の小さい接続部が溶断し、隣接する溶断電流の大きな接続部が作動しない状態では、破壊時のサージが隣接する溶断電流の大きな接続部が接続された分割電極に吸収されるため、容量減少がコンデンサ全体に及ばないことによるものである。
【００３８】
【表１】
2013115230.tif 000003
【００３９】
実施例１〜６及び比較例１、２で作製したフィルムコンデンサを、試験法ＪＩＳＣ５１０１−１４  ４．１８  発火性試験にて雷などの突発的なサージに対するコンデンサの耐性を評価した。その結果を（表２）に示す。
【００４０】
（表２）に示すように、本発明における実施例１〜６のコンデンサでは発火性試験においてコンデンサの発火、発煙はなかったが、比較例１、２共に、コンデンサが発火した。
【００４１】
以上のことから、本発明によるコンデンサは、雷などの突発的なサージに対してもコンデンサの安全性が確保できるものである。
【００４２】
これは、第一の電極と分割電極との間に、分割電極毎に感度の異なるヒューズ機能を有する接続部を設けることによって、先に、溶断電流の小さい接続部が溶断し、隣接する溶断電流の大きな接続部が作動しない状態では、破壊時のサージが隣接する溶断電流の大きな接続部が接続された分割電極に吸収されるため、破壊がコンデンサ全体に及ばないことによるものである。
【００４３】
【表２】
2013115230.tif 000004
【００４４】
以上のように、本発明の金属化フィルムコンデンサは、安全性を確保しながらコンデンサの容量低下を抑制することができる。
【００４５】
（実施の形態２）
図３（ａ）、（ｂ）は本発明の実施の形態２におけるフィルムコンデンサを構成する二つの金属化フィルム４３、６３の平面図で、図３（ｃ）は金属化フィルム４３と金属化フィルム６３とを重ねてコンデンサを構成したものを、金属化フィルム４３、６３の長さ方向に切断した断面図である。
【００４６】
図４はコンデンサを構成した金属化フィルム４３、６３の幅方向の両端部に外部電極５５を設けたものを、金属化フィルム４３、６３の幅方向に切断した断面図である。
【００４７】
金属化フィルム４３は、誘電体フィルム４２の一方の面の、第一のマージン４７、第二のマージン４８、第三のマージン４９ａ、４９ｂ、４９ｃ、４９ｄとなる部分を除いて、アルミニウム等の金属薄膜が形成されており、この金属薄膜は第一の電極４４と、複数の分割電極４５と、接続部４６ａ、４６ｂ、４６ｃ、４６ｄを構成している。
【００４８】
第一のマージン４７は、誘電体フィルム４２の幅方向の一方の端部に、誘電体フィルム４２の長さ方向に連続して設けられ、第一の電極４４は誘電体フィルム４２の他方の端部に、誘電体フィルム４２の長さ方向に連続して設けられている。
【００４９】
分割電極４５は、金属薄膜を第一のマージン４７から誘電体フィルム４２の他方の端部に向かって設けられた複数の第二のマージン４８によって、誘電体フィルム４２における長さ方向の寸法が同じになるように分割して設けられたもので、複数の分割電極４５が誘電体フィルム４２の長さ方向に並ぶように設けられている。
【００５０】
接続部４６ａは、第一の電極４４と分割電極４５との間に、第一の電極４４と分割電極４５とを接続するように設けられ、接続部４６ｂ、４６ｃ、４６ｄは、接続部４６ａが接続された分割電極４５に隣接する別の分割電極４５に接続するように設けられ、これによって接続部４６ａ、４６ｂ、４６ｃ、４６ｄはヒューズとして機能することになる。
【００５１】
一つの分割電極４５に接続された接続部４６ａの誘電体フィルム４２における長さ方向の寸法４６ａｗは、接続部４６ａが接続された分割電極４５に隣接する別の分割電極４５に接続された三つの接続部４６ｂ、４６ｃ、４６ｄの誘電体フィルム４２における長さ方向の寸法４６ｂｗ、４６ｃｗ、４６ｄｗを合計した寸法とは異なり、接続部４６ａの寸法４６ａｗは、第二のマージン４８の第一の電極４４側の端部から誘電体フィルム４２の長さ方向に向かって延設された第三のマージン４９ａの延設端と、この延設端に隣接し対向する第二のマージン４８との間の寸法となり、接続部４６ｂの寸法４６ｂｗと接続部４６ｃの寸法４６ｃｗと接続部４６ｄの寸法４６ｄｗを合計した寸法は、分割電極４５の誘電体フィルム４２における長さ方向の寸法から、第三のマージン４９ｂ、４９ｃ、４９ｄの誘電体フィルム４２における長さ方向の寸法を除いた寸法となり、本実施の形態では接続部４６ａの寸法４６ａｗよりも接続部４６ｂの寸法４６ｂｗと接続部４６ｃの寸法４６ｃｗと接続部４６ｄの寸法４６ｄｗを合計した寸法の方が長くなっている。
【００５２】
また、接続部４６ａ、４６ｂ、４６ｃ、４６ｄの誘電体フィルム４２における幅方向の寸法４０ｖは第三のマージン４９ａ、４９ｂ、４９ｃ、４９ｄの誘電体フィルム４２における幅方向の寸法と同じ寸法となっている。
【００５３】
そして、接続部４６ａが接続された分割電極４５と、接続部４６ｂと接続部４６ｃと接続部４６ｄとが接続された別の分割電極４５とは、誘電体フィルム４２の長さ方向に交互に並ぶようになり、このような構成とすることで、溶断する電流値の異なるヒューズが、誘電体フィルム４２の長さ方向に並ぶ分割電極４５に交互に接続されることになる。
【００５４】
図３（ｂ）に示す金属化フィルム６３も図中の符号は異なるが、金属化フィルム４３と同じ構成で、金属化フィルム４３と金属化フィルム６３とを、図４に示すように金属化フィルム４３の第一のマージン４７と、金属化フィルム６３の第一のマージン６７とが反対側に位置するように重ねて巻回、或いは交互に積層したものに外部電極５５を設けてフィルムコンデンサとしている。
【００５５】
以上のような構成とすることで、一つの分割電極に接続するヒューズ機能を有する接続部が複数になっても、実施の形態１と同様に、安全性を確保しながらコンデンサの容量低下を抑制することができる。
【００５６】
（実施の形態３）
図５（ａ）は本発明の実施の形態３におけるフィルムコンデンサを構成する金属化フィルム８３の平面図、図５（ｂ）は同じく誘電体フィルム９２の平面図、図５（ｃ）は金属化フィルム８３と誘電体フィルム９２とを重ねてコンデンサを構成したものを、金属化フィルム８３及び、誘電体フィルム９２の長さ方向に切断した断面図である。
【００５７】
図６はコンデンサを構成した金属化フィルム８３と誘電体フィルム９２の幅方向の両端部に外部電極９５を設けたものを、金属化フィルム８３、誘電体フィルム９２の幅方向に切断した断面図である。
【００５８】
金属化フィルム８３は、誘電体フィルム８２の両面に金属薄膜を形成したものである。
【００５９】
誘電体フィルム８２の一方の面には、第一のマージン８７、第二のマージン８８、第三のマージン８９となる部分を除いて、アルミニウム等の金属薄膜が形成されており、この金属薄膜は第一の電極８４と、複数の分割電極８５ａ、８５ｂと、接続部８６ａ、８６ｂを構成している。
【００６０】
第一のマージン８７は、誘電体フィルム８２の幅方向の一方の端部に、誘電体フィルム８２の長さ方向に連続して設けられ、第一の電極８４は誘電体フィルム８２の他方の端部に、誘電体フィルム８２の長さ方向に連続して設けられている。
【００６１】
分割電極８５ａと分割電極８５ｂとは誘電体フィルム８２における長さ方向の寸法が異なり、分割電極８５ａの寸法が分割電極８５ｂの寸法より小さくなるように、金属薄膜を第一のマージン８７から誘電体フィルム８２の他方の端部に向かって設けられた複数の第二のマージン８８によって分割して設けられたもので、複数の分割電極８５ａ、８５ｂが誘電体フィルム８２の長さ方向に交互に並ぶように設けられている。
【００６２】
接続部８６ａは、第一の電極８４と分割電極８５ａとの間に、第一の電極８４と分割電極８５ａとを接続するように設けられ、接続部８６ｂは、接続部８６ａが接続された分割電極８５ａに隣接する分割電極８５ｂに接続するように設けられ、これによって接続部８６ａ、８６ｂはヒューズとして機能することになる。
【００６３】
分割電極８５ａに接続された接続部８６ａの誘電体フィルム８２における長さ方向の寸法８６ａｗは、接続部８６ａが接続された分割電極８５ａに隣接する分割電極８５ｂに接続された接続部８６ｂの誘電体フィルム８２における長さ方向の寸法８６ｂｗとは異なり、接続部８６ａの寸法８６ａｗは、第二のマージン８８の第一の電極８４側の端部から誘電体フィルム８２の長さ方向に向かって延設された第三のマージン８９の延設端と、この延設端に隣接し対向する第二のマージン８８との間の寸法となり、接続部８６ｂの誘電体フィルム８２における長さ方向の寸法８６ｂｗは分割電極８５ｂの誘電体フィルム８２における長さ方向の寸法と同じ寸法となり、本実施の形態では接続部８６ａの寸法８６ａｗよりも接続部８６ｂの寸法８６ｂｗの方が長くなっている。
【００６４】
また、接続部８６ａ、８６ｂの誘電体フィルム８２における幅方向の寸法８０ｖは第三のマージン８９の誘電体フィルム８２における幅方向の寸法と同じ寸法となっている。
【００６５】
そして、接続部８６ａが接続された分割電極８５ａと、接続部８６ｂが接続された分割電極８５ｂとは、誘電体フィルム８２の長さ方向に交互に並ぶようになり、このような構成とすることで、溶断する電流値の異なるヒューズが、誘電体フィルムの長さ方向に並ぶ分割電極８５ａ、８５ｂに交互に接続されることになる。
【００６６】
誘電体フィルム８２の他方の面に設けた金属薄膜は、図中の符号は異なるが、誘電体フィルム８２の一方の面に設けた金属薄膜と同じ構成で、一方の面の第一のマージン８７と他方の面の第一のマージン１０７とが反対側に位置するようになっている。
【００６７】
金属化フィルム８３と表面に金属薄膜が設けられていない誘電体フィルム９２とを重ねて巻回、或いは交互に積層したものに外部電極９５を設けてフィルムコンデンサとしている。
【００６８】
以上のような構成とすることで、誘電体フィルムの両面に金属薄膜を設けた金属化フィルムであっても、実施の形態１と同様に、安全性を確保しながらコンデンサの容量低下を抑制することができる。
【００６９】
（実施の形態４）
図７（ａ）は本発明の実施の形態４におけるフィルムコンデンサを構成する金属化フィルム１２３の平面図、図７（ｂ）は同じく誘電体フィルム１３２の平面図、図７（ｃ）は金属化フィルム１２３と誘電体フィルム１３２とを重ねてコンデンサを構成したものを、金属化フィルム１２３及び、誘電体フィルム１３２の長さ方向に切断した断面図である。
【００７０】
図８はコンデンサを構成した金属化フィルム１２３と誘電体フィルム１３２の幅方向の両端部に外部電極１３５を設けたものを、金属化フィルム１２３、誘電体フィルム１３２の幅方向に切断した断面図である。
【００７１】
金属化フィルム１２３は、誘電体フィルム1２２の両面に金属薄膜を形成したものである。
【００７２】
誘電体フィルム１２２の一方の面には、第一のマージン１２７、第二のマージン１２８、第三のマージン１２９となる部分を除いて、アルミニウム等の金属薄膜が形成されており、この金属薄膜は第一の電極１２４と、複数の分割電極１２５と、接続部１２６ａ、１２６ｂを構成している。
【００７３】
第一のマージン１２７は、誘電体フィルム１２２の幅方向の一方の端部に、誘電体フィルム１２２の長さ方向に連続して設けられ、第一の電極１２４は誘電体フィルム１２２の他方の端部に、誘電体フィルム１２２の長さ方向に連続して設けられている。
【００７４】
分割電極１２５は、金属薄膜を第一のマージン１２７から誘電体フィルム１２２の他方の端部に向かって設けられた複数の第二のマージン１２８によって分割して設けられたもので、複数の分割電極１２５が誘電体フィルム１２２の長さ方向に並ぶように設けられている。
【００７５】
接続部１２６ａは、第一の電極１２４と分割電極１２５との間に、第一の電極１２４と分割電極１２５とを接続するように設けられ、接続部１２６ｂは、接続部１２６ａが接続された分割電極１２５に隣接する分割電極１２５に接続するように設けられ、これによって接続部１２６ａ、１２６ｂはヒューズとして機能することになる。
【００７６】
一つの分割電極１２５に接続された接続部１２６ａの誘電体フィルム１２２の長さ方向における寸法１２６ａｗは、接続部１２６ａが接続された分割電極１２５に隣接する別の分割電極１２５に接続された接続部１２６ｂの誘電体フィルム１２２における長さ方向の寸法１２６ｂｗとは異なり、接続部１２６ａの寸法１２６ａｗは、第二のマージン１２８の第一の電極１２４側の端部から誘電体フィルム１２２の長さ方向に向かって延設された第三のマージン１２９の延設端と、この延設端に隣接し対向する第二のマージン１２８との間の寸法となり、接続部１２６ｂの誘電体フィルム１２２における長さ方向の寸法１２６ｂｗは分割電極１２５の誘電体フィルム１２２における長さ方向の寸法と同じ寸法となり、本実施の形態では接続部１２６ａの寸法１２６ａｗよりも接続部１２６ｂの寸法１２６ｂｗの方が長くなっている。
【００７７】
また、接続部１２６ａ、１２６ｂの誘電体フィルム１２２における幅方向の寸法１２０ｖは第三のマージン１２９の誘電体フィルム１２２における幅方向の寸法と同じ寸法となっている。
【００７８】
そして、接続部１２６ａが接続された分割電極１２５と、接続部１２６ｂが接続された分割電極１２５とは、誘電体フィルム１２２の長さ方向に交互に並ぶようになり、このような構成とすることで、溶断する電流値の異なるヒューズが、誘電体フィルムの長さ方向に並ぶ分割電極１２５に交互に接続されることになる。
【００７９】
誘電体フィルム１２２の他方の面に設けた金属薄膜は、図中の符号は異なるが、誘電体フィルム１２２の一方の面に設けた金属薄膜と同じ構成で、一方の面の第一のマージン１２７と他方の面の第一のマージン１４７とが反対側に位置するようになり、誘電体フィルム１２２の一方の面に設けられた分割電極１２５と、誘電体フィルムの他方の面に設けられた分割電極１４５とは、誘電体フィルム１２２を介して、誘電体フィルム１２２における長さ方向の寸法が長い接続部が接続された分割電極と、誘電体フィルム１２２における長さ方向の寸法が短い接続部が接続された分割電極とが同じ位置で対向するように設けられている。
【００８０】
金属化フィルム１２３と表面に金属薄膜が設けられていない誘電体フィルム１３２とを重ねて巻回、或いは交互に積層したものに外部電極１３５を設けてフィルムコンデンサとしている。
【００８１】
以上のような構成とすることで、金属化フィルム１２３と誘電体フィルム１３２を重ねて巻回、或いは積層した場合に、誘電体フィルム１２２における長さ方向の寸法が長い接続部が接続された分割電極だけが幾層にも重なることがなくなるので、より安全性を確保できるとともに、コンデンサの容量低下を抑制することができる。
【００８２】
（実施の形態５）
図９（ａ）は本発明の実施の形態５におけるフィルムコンデンサを構成する金属化フィルム１６３の平面図、図９（ｂ）は同じく誘電体フィルム１７２の平面図、図９（ｃ）は金属化フィルム１６３と誘電体フィルム１７２とを重ねてコンデンサを構成したものを、金属化フィルム１６３及び、誘電体フィルム１７２の長さ方向に切断した断面図である。
【００８３】
図１０はコンデンサを構成した金属化フィルム１６３と誘電体フィルム１７２の幅方向の両端部に外部電極１７５を設けたものを、金属化フィルム１６３、誘電体フィルム１７２の幅方向に切断した断面図である。
【００８４】
金属化フィルム１６３は、誘電体フィルム１６２の両面に金属薄膜を形成したものである。
【００８５】
誘電体フィルム１６２の一方の面には、第一のマージン１６７、第二のマージン１６８、第三のマージン１６９となる部分を除いて、アルミニウム等の金属薄膜が形成されており、この金属薄膜は第一の電極１６４と、複数の分割電極１６５と、接続部１６６ａ、１６６ｂ、１６６ｃ、１６６ｄを構成している。
【００８６】
第一のマージン１６７は、誘電体フィルム１６２の幅方向の一方の端部に、誘電体フィルム１６２の長さ方向に連続して設けられ、第一の電極１６４は誘電体フィルム１６２の他方の端部に、誘電体フィルム１６２の長さ方向に連続して設けられている。
【００８７】
分割電極１６５は、金属薄膜を第一のマージン１６７から誘電体フィルム１６２の他方の端部に向かって設けられた複数の第二のマージン１６８によって分割して設けられたもので、誘電体フィルム１６２における長さ方向の寸法が同じ複数の分割電極１６５が誘電体フィルム１６２の長さ方向に並ぶように設けられている。
【００８８】
接続部１６６ａ、１６６ｂ、１６６ｃ、１６６ｄは、第一の電極１６４と誘電体フィルムの長さ方向に隣接して並ぶ分割電極１６５との間にそれぞれ、第一の電極１６４と分割電極１６５とを接続するように設けられ、これによって接続部１６６ａ、１６６ｂ、１６６ｃ、１６６ｄはヒューズとして機能することになる。
【００８９】
分割電極１６５に接続された接続部１６６ａの誘電体フィルム１６２における長さ方向の寸法１６６ａｗは、第二のマージン１６８の第一の電極１６４側の端部から誘電体フィルム１６２の長さ方向に向かって延設された第三のマージン１６９ａの延設端と、この延設端に隣接し対向する第二のマージン１６８との間の寸法となり、接続部１６６ｂの寸法１６６ｂｗは、第二のマージン１６８の第一の電極１６４側の端部から誘電体フィルム１６２の長さ方向に向かって延設された第三のマージン１６９ｂの延設端と、この延設端に隣接し対向する第二のマージン１６８との間の寸法となり、接続部１６６ｃの寸法１６６ｃｗは、第二のマージン１６８の第一の電極１６４側の端部から誘電体フィルム１６２の長さ方向に向かって延設された第三のマージン１６９ｃの延設端と、この延設端に隣接し対向する第二のマージン１６８との間の寸法となり、接続部１６６ｄの寸法１６６ｄｗは、分割電極１６５の誘電体フィルム１６２における長さ方向の寸法と同じ寸法となっている。
【００９０】
また、接続部１６６ａ、１６６ｂ、１６６ｃ、１６６ｄの誘電体フィルム１６２における幅方向の寸法１６０ｖは第三のマージン１６９ａ、１６９ｂ、１６９ｃの誘電体フィルム１６２における幅方向の寸法と同じ寸法となっている。
【００９１】
誘電体フィルム１６２の他方の面に設けた金属薄膜は、図中の符号は異なるが、接続部１８６ｇ、１８６ｈ、１８６ｉ、１８６ｊの誘電体フィルム１６２における長さ方向の寸法１８６ｇｗ、１８６ｈｗ、１８６ｉｗ、１８６ｊｗ、および第三のマージン１８９ｇ、１８９ｈ、１８９ｉの誘電体フィルム１６２における長さ方向の寸法が異なる以外は、誘電体フィルム１６２の一方の面に設けた金属薄膜と同じ構成で、一方の面の第一のマージン１６７と他方の面の第一のマージン１８７（図示せず）とが反対側に位置するようになり、誘電体フィルム１６２の一方の面に設けられた分割電極１６５と、誘電体フィルム１６２の他方の面に設けられた分割電極１８５とは誘電体フィルム１６２を介して対向するように同じ位置に設けられている。
【００９２】
そして、誘電体フィルム１６２の一方の面と他方の面とに設けられた接続部において、接続部１６６ｄの誘電体フィルム１６２における長さ方向の寸法１６６ｄｗと、接続部１８６ｊの誘電体フィルム１６２における長さ方向の寸法１８６ｊｗとは同じで、この接続部１６６ｄ、１８６ｊの誘電体フィルム１６２の長さ方向における寸法１６６ｄｗ、１８６ｊｗは、接続部１６６ａ、１６６ｂ、１６６ｃ、１８６ｇ、１８６ｈ、１８６ｉの誘電体フィルム１６２における長さ方向の寸法１６６ａｗ、１６６ｂｗ、１６６ｃｗ、１８６ｇｗ、１８６ｈｗ、１８６ｉｗとは異なり、更に、接続部１６６ａの誘電体フィルム１６２における長さ方向の寸法１６６ａｗと、接続部１６６ｂの誘電体フィルム１６２における長さ方向の寸法１６６ｂｗと、接続部１６６ｃの誘電体フィルム１６２における長さ方向の寸法１６６ｃｗと、接続部１８６ｇの誘電体フィルム１６２における長さ方向の寸法１８６ｇｗと、接続部１８６ｈの誘電体フィルム１６２における長さ方向の寸法１８６ｈｗと、接続部１８６ｉの誘電体フィルム１６２における長さ方向の寸法１８６ｉｗとは全て異なっている。
【００９３】
金属化フィルム１６３と表面に金属薄膜が設けられていない誘電体フィルム１７２とを重ねて巻回、或いは交互に積層したものに外部電極１７５を設けてフィルムコンデンサとしている。
【００９４】
以上のような構成とすることで、誘電体フィルム１６２の長さ方向における寸法の異なる接続部が接続された七種類の分割電極が存在することになり、安全性が確保できるとともに、コンデンサの容量減少をより抑制することができる。
【００９５】
（実施の形態６）
図１１（ａ）は本発明の実施の形態６におけるフィルムコンデンサを構成する金属化フィルム２０３の平面図、図１１（ｂ）は同じく誘電体フィルム２１２の平面図、図１１（ｃ）は金属化フィルム２０３と誘電体フィルム２１２とを重ねてコンデンサを構成したものを、金属化フィルム２０３及び、誘電体フィルム２１２の長さ方向に切断した断面図である。
【００９６】
図１２はコンデンサを構成した金属化フィルム２０３と誘電体フィルム２１２の幅方向の両端部に外部電極２１５を設けたものを、金属化フィルム２０３、誘電体フィルム２１２の幅方向に切断した断面図である。
【００９７】
金属化フィルム２０３は、誘電体フィルム２０２の両面に金属薄膜を形成したものである。
【００９８】
誘電体フィルム２０２の一方の面には、第一のマージン２０７、第二のマージン２０８、第三のマージン２０９となる部分を除いて、アルミニウム等の金属薄膜が形成されており、この金属薄膜は第一の電極２０４と、複数の分割電極２０５と、接続部２０６ａ、２０６ｂを構成している。
【００９９】
第一のマージン２０７は、誘電体フィルム２０２の幅方向の一方の端部に、誘電体フィルム２０２の長さ方向に連続して設けられ、第一の電極２０４は誘電体フィルム２０２の他方の端部に、誘電体フィルム２０２の長さ方向に連続して設けられている。
【０１００】
分割電極２０５は、金属薄膜を第一のマージン２０７から誘電体フィルム２０２の他方の端部に向かって設けられた複数の第二のマージン２０８によって分割して設けられたもので、誘電体フィルム２０２における長さ方向の寸法が同じ複数の分割電極２０５が誘電体フィルム２０２の長さ方向に並ぶように設けられている。
【０１０１】
接続部２０６ａ、２０６ｂは、第一の電極２０４と誘電体フィルムの長さ方向に隣接して並ぶ分割電極２０５との間にそれぞれ、第一の電極２０４と分割電極２０５とを接続するように設けられ、これによって接続部２０６ａ、２０６ｂはヒューズとして機能することになる。
【０１０２】
分割電極２０５に接続された接続部２０６ａの誘電体フィルム２０２における長さ方向の寸法２０６ａｗは、第二のマージン２０８の第一の電極２０４側の端部から誘電体フィルム２０２の長さ方向に向かって延設された第三のマージン２０９の延設端と、この延設端に隣接し対向する第二のマージン２０８との間の寸法となり、接続部２０６ｂの寸法２０６ｂｗは、分割電極２０５の誘電体フィルム２０２における長さ方向の寸法と同じ寸法となり、本実施の形態では接続部２０６ａの寸法２０６ａｗよりも接続部２０６ｂの寸法２０６ｂｗの方が長くなっている。
【０１０３】
また、接続部２０６ａ、２０６ｂの誘電体フィルム２０２における幅方向の寸法２００ｖは第三のマージン２０９の誘電体フィルム２０２における幅方向の寸法と同じ寸法となっている。
【０１０４】
接続部２０６ａが接続された分割電極２０５と、接続部２０６ｂが接続された分割電極２０５とは、誘電体フィルム２０２の長さ方向に交互に並ぶようになり、このような構成とすることで、溶断する電流値の異なるヒューズが、誘電体フィルムの長さ方向に並ぶ分割電極２０５に交互に接続されることになる。
【０１０５】
そして、誘電体フィルム２０２の他方の面に設けた分割電極２２５の誘電体フィルム２０２における長さ方向の寸法は、誘電体を挟んで対向する分割電極２０５の誘電体フィルム２０２における長さ方向の寸法よりも長く、分割電極２２５に分割電極２０５が複数対向するような寸法となっている。
【０１０６】
上記のような構成のため、誘電体フィルム２０２の他方の面に設けた金属薄膜は、誘電体フィルム２０２における長さ方向の寸法が同じになるように設けられた複数の分割電極２２５の誘電体フィルム２０２における長さ方向の寸法と、接続部２２６ｂの誘電体フィルム２０２における長さ方向の寸法２２６ｂｗと、第三のマージン２２９の誘電体フィルム２０２における長さ方向の寸法とが、誘電体フィルム２０２の一方の面に設けた金属薄膜と異なっている。
【０１０７】
その他の構成は、図中の符号は異なるが、誘電体フィルム２０２の一方の面に設けた金属薄膜と同じになっており、一方の面の第一のマージン２０７と他方の面の第一のマージン２２７とが反対側に位置するようになっている。
【０１０８】
金属化フィルム２０３と表面に金属薄膜が設けられていない誘電体フィルム２１２とを重ねて巻回、或いは交互に積層したものに外部電極２１５を設けてフィルムコンデンサとしている。
【０１０９】
以上のような構成とすることで、金属化フィルム２０３と誘電体フィルム２１２を重ねて巻回、或いは積層した場合に、誘電体フィルム２１２における長さ方向の寸法が長い接続部が接続された分割電極に、必ず誘電体フィルム２１２における長さ方向の寸法が短い接続部が接続された分割電極に対向するようになるので、より安全性が確保できるとともに、よりコンデンサの容量低下を抑制することができる。
【０１１０】
尚、本実施の形態では誘電体フィルムの両面に金属薄膜を形成した金属化フィルムを例に説明したが、本実施例の誘電体フィルムの一方の面に設けた金属薄膜と、他方の面に設けた金属薄膜とを、それぞれ別の二つの誘電体フィルムの片面に設けるようにしてもよい。
【０１１１】
（実施の形態７）
図１３（ａ）、（ｂ）は本発明の実施の形態７におけるフィルムコンデンサを構成する二つの金属化フィルム２４３、２６３の平面図で、図１３（ｃ）は金属化フィルム２４３と金属化フィルム２６３とを重ねてコンデンサを構成したものを、金属化フィルム２４３、２６３の長さ方向に切断した断面図である。
【０１１２】
図１４はコンデンサを構成した金属化フィルム２４３、２６３の幅方向の両端部に外部電極２５５を設けたものを、金属化フィルム２４３、２６３の幅方向に切断した断面図である。
【０１１３】
金属化フィルム２４３は、誘電体フィルム２４２の一方の面の、第一のマージン２４７、第二のマージン２４８、第三のマージン２４９となる部分を除いて、アルミニウム等の金属薄膜が形成されており、この金属薄膜は第一の電極２４４と、分割電極２４５と、接続部２４６ａ、２４６ｂを構成している。
【０１１４】
第一のマージン２４７は、誘電体フィルム２４２の幅方向の一方の端部に、誘電体フィルム２４２の長さ方向に連続して設けられ、第一の電極２４４は誘電体フィルム２４２の他方の端部に、誘電体フィルム２４２の長さ方向に連続して設けられている。
【０１１５】
分割電極２４５は、第一のマージン２４７から誘電体フィルム２４２の他方の端部に向かって設けられた複数の第二のマージン２４８によって分割された金属薄膜が、誘電体フィルム２４２の長さ方向に並ぶように設けられている。
【０１１６】
接続部２４６ａ、２４６ｂは、第一の電極２４４と分割電極２４５との間に、第一の電極２４４と分割電極２４５とを接続するように設けられ、これによって接続部２４６ａ、２４６ｂはヒューズとして機能することになる。
【０１１７】
接続部２４６ａと接続部２４６ｂとの誘電体フィルム２４２における長さ方向の寸法は異なり、接続部２４６ａの寸法２４６ａｗは、第二のマージン２４８の第一の電極２４４側の端部から誘電体フィルム２４２の長さ方向に向かって延設された、対向する二つの第三のマージン２４９の延設端の間の寸法となり、接続部２４６ｂの寸法２４６ｂｗは分割電極２４５の誘電体フィルム２４２における長さ方向の寸法と同じ寸法となり、本実施の形態では接続部２４６ａの寸法２４６ａｗよりも接続部２４６ｂの寸法２４６ｂｗの方が長くなっている。
【０１１８】
また、接続部２４６ａ、２４６ｂは誘電体フィルム２４２の幅方向の略中央部に設けられ、接続部２４６ａ、２４６ｂの誘電体フィルム２４２における幅方向の寸法２４０ｖは第三のマージン２４９の誘電体フィルム２４２における幅方向の寸法と同じ寸法となっている。
【０１１９】
そして、接続部２４６ａが接続された分割電極２４５と、接続部２４６ｂが接続された別の分割電極２４５とは、誘電体フィルム２４２の長さ方向に交互に並ぶようになり、このような構成とすることで、溶断する電流値の異なるヒューズが、誘電体フィルム２４２の長さ方向に並ぶ分割電極２４５に交互に接続されることになる。
【０１２０】
図１３（ｂ）に示す金属化フィルム２６３も図中の符号は異なるが、金属化フィルム２４３と同じ構成で、金属化フィルム２４３と金属化フィルム２６３とを、図１４に示すように金属化フィルム２４３の第一のマージン２４７と、金属化フィルム２６３の第一のマージン２６７とが反対側に位置するように重ねて巻回、或いは交互に積層したものに外部電極２５５を設けてフィルムコンデンサとしている。
【０１２１】
以上のような構成とすることで、分割電極のない第一の電極には必ず分割電極が対向するようになるので安全性が確保でき、接続部の溶断によって切断される分割電極の面積が小さくなるのでコンデンサの容量低下をより小さくすることができる。
【産業上の利用可能性】
【０１２２】
以上のように本発明による金属化フィルムコンデンサは、安全性を損なうことなくヒューズの作動による容量減少を最小限に抑えることができるので、電源の雑音防止用のコンデンサとして有用である。
【符号の説明】
【０１２３】
２、２２  誘電体フィルム
３、２３  金属化フィルム
４、２４  第一の電極
５ａ、５ｂ、２５ａ、２５ｂ  分割電極
６ａ、６ｂ、２６ａ、２６ｂ  接続部
７、２７  第一のマージン
８、２８  第二のマージン
９、２９  第三のマージン
１５  外部電極
【図１】
2013115230.tif 000005
【図２】
2013115230.tif 000006
【図３】
2013115230.tif 000007
【図４】
2013115230.tif 000008
【図５】
2013115230.tif 000009
【図６】
2013115230.tif 000010
【図７】
2013115230.tif 000011
【図８】
2013115230.tif 000012
【図９】
2013115230.tif 000013
【図１０】
2013115230.tif 000014
【図１１】
2013115230.tif 000015
【図１２】
2013115230.tif 000016
【図１３】
2013115230.tif 000017
【図１４】
2013115230.tif 000018
【図１５】
2013115230.tif 000019